(57)【特許請求の範囲】
【請求項１】
炭化水素産出のための蒸気を発生させる方法であって、
圧縮された酸化剤と燃料とを、コンバインドサイクル発電所のガスタービンシステムの燃焼室内で実質的に化学量論的に燃焼させ、燃焼生成物を含む排気ストリームを生成する段階と、
前記排気ストリームからの熱を使用して蒸気を生成する段階と、
前記蒸気の少なくとも一部分を炭化水素リザーバの中に注入する段階と、
熱回収工程を使用して前記炭化水素リザーバから炭化水素及び再生された水を取得する段階と、
前記排気ストリーム内の前記燃焼生成物から水ストリームを凝縮させる段階と、
前記水ストリームと前記再生された水の少なくとも一部を前記蒸気の生成のための補給水として使用する段階と、を含む、
ことを特徴とする方法。
【請求項２】
前記排気ストリームの少なくとも一部を燃焼のための希釈剤として前記燃焼室まで再循環させる段階と、
前記燃焼室へ導入する前に前記希釈剤を冷却して第２の水ストリームを凝縮させる段階と、
前記水ストリームと前記第２の水ストリームを組み合わせて複合水ストリームを形成する段階と、
前記複合ストリーム及び前記再生された水の少なくとも一部を前記補給水として使用する段階と、を含む、
請求項１に記載の方法。
【請求項３】
前記蒸気の少なくとも一部分を使用して蒸気タービンを駆動する段階を含む、
請求項１又は２に記載の方法。
【請求項４】
前記蒸気タービンは、前記ガスタービンシステムのシャフト上に追加のシャフト動力を生成する、
請求項３に記載の方法。
【請求項５】
前記蒸気タービンは、ブローダウンを生成し、
前記方法が、前記ブローダウンを前記蒸気の生成のための追加の補給水として使用する段階を含む、
請求項３又は４に記載の方法。
【請求項６】
前記熱回収工程は、循環蒸気刺激工程である、
請求項１に記載の方法。
【請求項７】
前記熱回収工程は、蒸気支援重力排水工程である、
請求項１又は６に記載の方法。
【請求項８】
前記熱回収工程は、クラーク高温水抽出工程である、
請求項１、６、又は７に記載の方法。
【請求項９】
前記蒸気の少なくとも一部分を設備加熱工程、処理加熱工程、又は蒸気揮散工程、又はそのいずれかの組合せに使用する段階を含む、
請求項１から８のいずれか１項に記載の方法。
【請求項１０】
追加された燃料及び酸化剤の量をオフセットするために前記希釈剤の一部分を抽出する段階を含む、
請求項２に記載の方法。
【請求項１１】
希釈剤の前記抽出した部分を二酸化炭素リッチストリームと二酸化炭素リーンストリームに分離する段階を含む、
請求項１０に記載の方法。
【請求項１２】
前記二酸化炭素リッチストリームを原油二次回収のために炭化水素リザーバの中に注入する段階を含む、
請求項１１に記載の方法。
【請求項１３】
前記二酸化炭素リッチストリームを炭素隔離のために地下地層の中に注入する段階を含む、
請求項１１又は１２に記載の方法。
【請求項１４】
前記二酸化炭素リーンストリームを圧力維持のために炭化水素リザーバの中に注入する段階を含む、
請求項１１、１２、又は１３に記載の方法。
【請求項１５】
前記水ストリームを前記補給水の一部として使用する前に、該水ストリームを処置する段階を含む、
請求項１から１４のいずれか１項に記載の方法。
【請求項１６】
前記水ストリームのｐＨを約７と約９ｐＨ単位の間に調節する段階を含む、
請求項１５に記載の方法。
【請求項１７】
前記水ストリームを蒸気揮散して溶解ガスを除去する段階を含む、
請求項１５又は１６に記載の方法。
【請求項１８】
脱酸素剤を用いて前記水ストリームを処置する段階を含む、
請求項１５、１６、又は１７に記載の方法。
【請求項１９】
９０ｗｔ％以上の水蒸気を含む高品質蒸気及び９０ｗｔ％よりも少ない水蒸気を含む低品質蒸気を発生させる段階を含む、
請求項１から１８のいずれか１項に記載の方法。
【請求項２０】
前記高品質蒸気を使用して蒸気タービンを駆動する段階を含む、
請求項１９に記載の方法。
【請求項２１】
前記再生された水を処置する段階、
を含む、
請求項１９又は２０に記載の方法。
【請求項２２】
前記低品質蒸気を熱回収工程に使用する段階を含む、
請求項１９、２０、又は２１に記載の方法。
【請求項２３】
炭化水素産出にコンバインドサイクルプラントからの排気を使用する方法であって、
燃料と酸化剤とを、コンバインドサイクル発電所のガスタービンシステム内で実質的に化学量論的に燃焼させ排気ストリームを生成する段階と、
前記排気ストリームからの排気熱を使用して蒸気を生成する段階と、
前記蒸気の少なくとも一部分を炭化水素リザーバの中に注入する段階と、
熱回収工程を使用して前記炭化水素リザーバから炭化水素及び再生された水を取得する段階と、
水ストリームを前記排気ストリームから凝縮させる段階と、
前記水ストリーム及び前記再生された水の少なくとも一部を前記蒸気生成のための補給ストリームとして使用する段階と、
前記蒸気の少なくとも第２の部分を用いて蒸気タービンを駆動する段階と、を含む、
ことを特徴とする方法。
【請求項２４】
前記蒸気タービンを駆動する前記蒸気の部分は、前記コンバインドサイクルプラントから要求される出力電力のレベルに少なくとも部分的に基づいて調節される、
請求項２３に記載の方法。
【請求項２５】
前記熱回収工程は、循環蒸気刺激である、
請求項２４に記載の方法。
【請求項２６】
前記熱回収工程は、蒸気支援重力排水である、
請求項２５に記載の方法。
【請求項２７】
前記蒸気タービンからブローダウンストリームを生成する段階と、
前記ブローダウンストリームを前記蒸気の前記生成のための補給給水として与える段階と、を含む、
請求項２３から２６のいずれか１項に記載の方法。
【請求項２８】
前記蒸気をクラーク高温水抽出システム、設備加熱システム、処理加熱システム、又は蒸気揮散システム、又はそのいずれかの組み合わせに使用する段階を含む、
請求項２３から２６のいずれか１項に記載の方法。
【請求項２９】
発電し、かつリザーバから炭化水素を熱的に回収するためのシステムであって、
圧縮された酸化剤と燃料の燃焼室内での実質的に化学量論的燃焼の副産物として高温排気ストリームを生成するように構成されたガスタービンシステムと、
前記高温排気ストリームを使用して蒸気ストリームを生成するように構成され、蒸気ストリームの少なくとも一部を熱回収システムへ送り、該高温排気ストリーム内の前記燃焼生成物から凝縮ストリームを生成する熱回収蒸気発生器（ＨＲＳＧ）と、
熱回収工程において前記蒸気ストリームの一部分を使用して炭化水素及び再生された水を生成するように構成された炭化水素産出システムと、
前記蒸気ストリームを発生させるために前記ＨＲＳＧに与えられる補給水として前記凝縮ストリーム及び前記再生された水の少なくとも一部分を使用するように構成された給送システムと、を含む、
ことを特徴とするシステム。
【請求項３０】
（ａ）前記蒸気ストリームの少なくとも第２の部分を使用して機械的動力を発生させるように構成された蒸気タービン、
（ｂ）前記機械的動力によって駆動される発電機、
（ｃ）循環蒸気刺激システム、
（ｄ）蒸気支援重力排水システム、
（ｅ）クラーク高温水抽出システム、
（ｆ）前記凝縮ストリームのための水浄化システム、
（ｇ）前記凝縮ストリーム内の溶解ガスを低減するように構成された蒸気揮散器、
（ｈ）前記凝縮ストリームのｐＨを約７と約９ｐＨ単位の間にもたらすように構成されたｐＨ調節システム、および
（ｉ）濾過システムの、少なくとも１つを備えている、
請求項２９に記載のシステム。
【発明の詳細な説明】
【技術分野】
【０００１】
〔関連出願への相互参照〕
本出願は、その全体が引用により本明細書に組み込まれる「原油二次回収に使用するための排気の処理」という名称の２０１３年３月８日出願の米国特許出願第６１／７７５，１６７号の優先権利益を主張するものである。
【０００２】
本発明の技術の例示的な実施形態は、コンバインドサイクルプラントから排気熱を回収して回収排気熱を原油二次回収のために使用するための技術に関する。
【背景技術】
【０００３】
本節は、本発明の技術の例示的な実施形態に関連付けることができる当業技術の様々な態様を導入することを意図している。この検討は、本発明の技術の特定の態様のより良い理解を容易にするフレームワークを与える上で役立つと考えられる。従って、この観点から本節を読むべきであり、必ずしも従来技術を受け入れるものとしてではないことを理解すべきである。
【０００４】
ガスタービンとして通常知られているブレイトンサイクルエンジンを、排気ガス再循環によって近化学量論的条件で燃料を燃焼するように適応させることができる。このようなエンジンは、エンジンによって生じる排出物が、主に汚染物質含有量の低い不活性ガスであるので、超低排出技術（ＵＬＥＴ）と呼ばれる。一部のＵＬＥＴエンジンは、追加のシャフト動力を生成するように凝縮蒸気タービンに使用される複数の圧力レベルの過熱蒸気を生成するためにガスタービンの排気熱を使用する。ＰＣＴ出願公開番号ＷＯ２０１２００３０７９明細書において、このような装置は、コンバインドサイクル発電（ＣＣＰＧ）と説明されてそのように呼ばれている。ＣＣＰＧを実施する発電プラントは、コンバインドサイクル発電プラント又は単にコンバインドサイクルプラントと呼ばれる。ガスタービンコンバインドサイクルプラントは、かなり効率的であり、かつ石炭及び原子力のような他の技術に比べると比較的低費用で運用することができる。
【０００５】
コンバインドサイクルプラント内の蒸気タービンは、高品質、すなわち、乾燥した蒸気によって最も効率的に稼働する。乾燥蒸気の生成は、ミネラル、塩、及びシリカのような汚染物質を実質的に含まない給水を必要とする。水は、ＵＬＥＴエンジン内の燃焼工程の副産物として生成されるが、この水は、低品質のものであり、従って、蒸気タービンのボイラーによって容易に使用可能ではない。水を浄化する費用は、多くの場合に法外に高価であり、従って、水は、多くの場合に単に廃棄される。更に、コンバインドサイクルプラント内の蒸気タービンは、ブローダウン水を生成するが、この水も低品質のものであり、従って多くの事例において廃棄される。
【０００６】
これに加えて、ガスタービンの排気熱は、それを単に通気するのではなく追加のシャフト動力を生成するように使用することでコンバインドサイクルプラントの全体効率を改善するが、排気熱に対してより経済的な使用があると考えられる。しかし、現在のコンバインドサイクルプラントは、いずれの代替の目的に対しても排気熱又は排気熱で生成される蒸気を使用するようには装備されていない。
【０００７】
例えば、Ｅａｒｎｅｓｔに付与された米国特許第４，２７１，６６４号明細書は、排気ガス再循環を有するタービンエンジンを開示している。エンジンは、開ループブレイトンサイクルに対して作動する主出力タービンを有する。主出力タービンへの給気は、ブレイトンタービンの排気から熱エネルギを導出する閉ループランキンサイクルのタービンによって独立に駆動される圧縮機によって与えられる。排気ガスの一部分は、部分負荷作動中に圧縮機入口の中に再循環される。しかし、排気熱又は排気熱によって生成される蒸気に対する追加の使用法は、開示されていない。
【先行技術文献】
【特許文献】
【０００８】
【特許文献１】ＷＯ２０１２００３０７９明細書
【特許文献２】米国特許第４，２７１，６６４号明細書
【発明の概要】
【課題を解決するための手段】
【０００９】
本明細書に開示する実施形態は、コンバインドサイクル発電プラントを使用して炭化水素産出のための蒸気を発生させる方法を提供する。本方法は、ガスタービンシステムからの排気ストリームからの熱を使用して蒸気を生成する段階と、排気ストリーム内の燃焼生成物から水ストリームを凝縮させる段階と、蒸気の生成のための補給水として水ストリームを使用する段階とを含む。
【００１０】
別の実施形態は、炭化水素産出にコンバインドサイクルプラントからの排気を使用する方法を提供する。本方法は、コンバインドサイクルプラント内のガスタービンシステムからの排気ストリームからの排気熱を使用して蒸気を生成する段階と、排気ストリームから水ストリームを凝縮させる段階とを含む。水ストリームは、蒸気生成のための補給ストリームとして使用される。蒸気タービンは、蒸気の少なくとも一部分を用いて駆動され、蒸気の少なくとも別の部分は、熱回収工程のための炭化水素リザーバの中に注入される。
【００１１】
別の実施形態は、発電し、かつリザーバから炭化水素を熱的に回収するためのシステムを提供する。システムは、燃焼の副産物として高温排気ストリームを生成するように構成されたガスタービンシステムを含む。システムはまた、高温排気ストリームを使用して蒸気ストリームを生成するように構成された熱回収蒸気発生器（ＨＲＳＧ）を含み、ＨＲＳＧは、高温排気ストリーム内の燃焼生成物から凝縮ストリームを生成する。給送システムは、ＨＲＳＧに提供される補給水の少なくとも一部として凝縮ストリームを使用して蒸気ストリームを発生させるように構成される。
【００１２】
本発明の技術の利点は、以下の詳細説明及び添付図面を参照することによってより良く理解される。
【図面の簡単な説明】
【００１３】
【図１】蒸気生成熱電併給設備を備えた熱回収システムの使用を示す開発の概略図である。
【図２】開発の熱電併給設備の詳細図を示す別の開発の簡易ブロック図である。
【図３】開発の熱電併給設備の詳細図を示す別の開発の簡易ブロック図である。
【図４】第１の実施形態による開発のＨＲＳＧの詳細図を示す図３の開発の一部分の簡易ブロック図である。
【図５】第２の実施形態による開発のＨＲＳＧの詳細図を示す図３の開発の一部分の簡易ブロック図である。
【図６】コンバインドサイクルプラント内の排気熱を使用する方法の処理流れ図である。
【図７】コンバインドサイクルプラント内の排気熱を使用する別の方法の処理流れ図である。
【発明を実施するための形態】
【００１４】
以下の詳細説明の節において、本発明の技術の特定の実施形態を説明する。しかし、以下の説明が本発明の技術の特定の実施形態又は特定の使用に特定である範囲において、これは、例示的な目的のみに対するものであるように意図しており、単に例示的な実施形態の説明を提供するものである。従って、この技術は、以下に説明する特定の実施形態に限定されず、むしろ添付の特許請求の真の精神及び範囲に含まれる全ての代替物、修正物、及び均等例を含む。
【００１５】
最初に、参照を簡単にするために、この出願に使用されるある一定の用語及びこの関連に使用される時のそれらの意味を列挙する。本明細書に使用する用語が以下に定義されない限り、それには、当業者が少なくとも１つの刊行物又は交付済み特許に反映されているとしてその用語に与えた最も広い定義が与えられるべきである。更に、同じか又は類似の目的に役立つ全ての均等物、同義語、新しい開発、及び用語又は技術は、本発明の特許請求の範囲内であるものとして考えられるので、本発明の技術は、以下に示す用語の使用によって制限されない。
【００１６】
「瀝青」は、自然発生的な重油材料である。瀝青は、多くの場合に油砂において見出される炭化水素成分である。瀝青は、より揮発性の成分の損失程度に応じて組成物中で変化する可能性がある。瀝青は、非常に粘性のタール状の半固体材料から固体形態に変化することができる。瀝青において見出される炭化水素タイプは、脂肪族化合物、芳香族化合物、樹脂、及びアスファルテンを含むことができる。典型的な瀝青は、以下で構成することができると考えられる。
５ｗｔ．％〜３０ｗｔ．％又はこれより高い範囲とすることができる１９重量パーセント（ｗｔ．％）脂肪族化合物、
５ｗｔ．％〜３０ｗｔ．％又はこれより高い範囲とすることができる１９ｗｔ．％アスファルテン、
１５ｗｔ．％〜５０ｗｔ．％又はこれより高い範囲とすることができる３０ｗｔ．％芳香族化合物、
１５ｗｔ．％〜５０ｗｔ．％又はこれより高い範囲とすることができる３２ｗｔ．％樹脂、及び
７ｗｔ．％を超える範囲とすることができる若干量の硫黄。
これに加えて、瀝青は、０．４ｗｔ．％未満〜０．７ｗｔ．％を超える範囲とする少しの水及び窒素化合物を含有することができる。少ないながらも金属内容物を取り出して、生成物合成原油（ＳＣＯ）の汚染物質を回避することができる。ニッケルは、７５ｐｐｍ（百万分率）未満〜２００ｐｐｍよりも多くまで変化する可能性がある。バナジウムは、２００ｐｐｍ未満〜５００ｐｐｍよりも多くまでの範囲とすることができる。瀝青において見出される炭化水素タイプのパーセンテージは、変化する可能性がある。
【００１７】
「クラーク高温水抽出工程」又は「ＣＨＷＥ」は、Ｄｒ．Ｋ．Ａ．Ｃｌａｒｋの業績に基づき、かつＣｏｒｔｉ他による論文「アサバスカの採掘可能な油砂：瀝青脱離のＲＴＲ／湾抽出工程の理論的モデル」、重質原油及びタールサンドに関する第４回ＵＮＩＴＡＲ／ＵＮＤＰ国際会議紀要、ｖｏｌ．５、Ｅｄｍｏｎｔｏｎ、ＡＢ、Ａｕｇ．７−１２，１９８８、ｐｐ．４１−４４，７１において検討されたように油砂から瀝青を放出するために本来は開発された。米国特許第４，９４６，５９７号明細書においても説明している工程は、水及び苛性アルカリを有する油砂の激しい機械的攪拌を使用して粒体を破壊してスラリを形成し、その後、スラリは、瀝青の浮遊選鉱のために分離タンクに通過させ、そこから瀝青をすくい取る。この工程は、周囲温度で作業することができ、調節剤がスラリに加えられる。激しい機械的攪拌と一緒に８５℃以上の温度を使用する従来の方法は、非常にエネルギ効率が悪い。化学的アジュバント、特にアルカリを利用してこれらの工程を支援していた。
【００１８】
「コンバインドサイクル発電プラント」又は「ＣＣＰＰ」（本明細書では「コンバインドサイクルプラント」とも呼ばれる）は、ガスタービン、蒸気タービン、発電機、及び熱回収蒸気発生器（ＨＲＳＧ）を含み、両蒸気及びガスタービンを使用して発電する。ガスタービンは、開放又は半閉鎖ブレイトンサイクルで作動し、蒸気タービンは、ランキンサイクルで作動する。コンバインドサイクル発電プラントは、ガスタービン排気ガスからの熱を利用してＨＲＳＧにおいて水を煮沸し、蒸気を発生させる。発生した蒸気を利用して、蒸気タービンに動力を供給する。蒸気タービンに動力を供給した後、蒸気は、凝縮され、得られる水をＨＲＳＧに戻すことができる。ガスタービン及び蒸気タービンを利用して、個別に独立発電機に動力を供給することができ、又はこれに代えて蒸気タービンは、ガスタービンと組み合わせて、共通駆動シャフトを介して単一発電機を一緒に駆動することができる。これらのコンバインドサイクルガス／蒸気発電プラントは、一般的に、ランキンサイクル又は蒸気のみの発電プラントよりも高いエネルギ変換効率を有する。現在、単純サイクルプラント効率は、４４％を超える可能性があるが、コンバインドサイクルプラント効率は、６０％を超える可能性がある。より高いコンバインドサイクル効率は、蒸気タービンとガスタービンの組み合わせの相乗的利用から生じる。
【００１９】
「圧縮機」は、仕事（すなわち、圧縮）の印加によってガスの圧力を増加させる機械である。従って、低圧ガス（例えば、約３５ｋＰａでの）は、パイプラインを通る伝達、ウェルへの注入、又は他の目的のために高圧ガス（例えば、約６．８９５ｋＰａでの）に圧縮することができる。
【００２０】
本明細書に使用される時に、「凝縮物」は、蒸気の凝縮によって形成される液状の水を含む。蒸気はまた、水滴の形態の液状の水を同伴することができる。この同伴水はまた、それが蒸気の凝縮から生じると凝縮物と呼ぶ場合があるが、同伴水滴はまた、ボイラーにおいて液状の水の蒸気への不完全変換から生じる場合がある。
【００２１】
「ＣＳＳ」の「循環蒸気刺激」（「ハフ−アンド−パフ」工程としても公知）は、ウェルが、水蒸気圧入、ヒートソーク、及び圧送油産出のサイクルを通される高温原位置マイニング工程を意味する。具体的には、ＣＳＳは、長期間にわたる（例えば、数週〜数ヶ月）水平ウェルを通したリザーバの中への高温（例えば、約３００℃〜４００℃）蒸気のサイクル導入を伴う。これは、蒸気が石灰化地層を加熱し、油を液体にすることを可能にすることができる。次いで、油は、地表において回収することができる。従って、油の産出及び回収は、より高深度にある別の水平ウェルを通って行うことができる。
【００２２】
「脱水デバイス」は、ガス混合気から気体又は液体の形態で水を取り出すためのデバイスである。「脱水された」は、広くはあらゆる水含有量の減少を説明する。典型的には、脱水された炭化水素含有物質は、実質的に取り出された大部分の水含有量、例えば、体積水で約５％未満又は特定の材料及び始動水含有量に応じて約１％未満有することができる。
【００２３】
「開発」は、統合地表設備及び長期計画を使用して炭化水素を回収するためのプロジェクトである。開発、単一炭化水素リザーバに向けることができるが、複数の近接リザーバを含むことができる。
【００２４】
工程から引き戻されたいずれのストリームにも適用される「リッチ」は、引き戻されたストリームが、その工程に対する給送ストリーム内のその成分の濃度よりも高いある濃度の特定の成分を含有することを意味する。
【００２５】
本明細書に使用される時に、「例示的」は、「実施例、事例、又は例証として役立つ」を意味する。「例示的」として本明細書に説明するあらゆる実施形態は、他の実施形態に勝って好ましい又は有利であると解釈すべきではない。
【００２６】
「設備」は、炭化水素流体がリザーバから生成されるか又はリザーバの中に注入されるどちらかの物理的機器の有形の部分の表現である。その最も広範な意味では、用語「設備」は、リザーバとその送出出口との間の流路に沿って存在することができるあらゆる機器に適用され、これらは、炭化水素流体がリザーバに入り（注入流体）又はリザーバを離れる（生成流体）いずれかの場所である。設備は、産出ウェル、注入ウェル、ウェル管体、水源機器、集積管路、マニホルド、ポンプ、圧縮機、分離器、地表流管路、及び送出出口を含むことができる。本明細書に使用される時に、設備はまた、酸性ガス分離ユニット、極低温分離システム、又は脱水ユニットのようなガス処置ユニットを含むことができる。場合によっては、用語「地表設備」を使用して、ウェル以外のこれらの設備と区別する。「設備ネットワーク」は、システムに存在する設備の完全集合であり、これは、水源と送出出口との間の全てのウェル及び地表設備を含むと考えられる。
【００２７】
用語「ガス」は、「蒸気」と同義に使用され、液体又は固体状態と区別して気体状態の物質又は物質の混合気を意味する。同様に、用語「液体」は、気体又は固体状態と区別するように液体状態の物質又は物質の混合物を意味する。
【００２８】
「熱回収蒸気発生器」又は「ＨＲＳＧ」は、高温ガスストリームから熱を回収する熱交換器又はボイラーである。ＨＲＳＧは、工程に使用されるか又は蒸気タービンを駆動するのに使用することができる蒸気を生成する。ＨＲＳＧに対する共通の用途は、コンバインドサイクル発電プラントにあり、ここでガスタービンからの高温排気ガスは、ＨＲＳＧに給送され、次いで、蒸気タービンを駆動する蒸気を発生させる。本明細書に説明するように、ＨＲＳＧを使用して、ＣＳＳ又はＳＡＧＤのような原油二次回収工程に蒸気を提供することができる。
【００２９】
「重油」は、「米国石油協会（ＡＰＩ）」によって重油又は超重油として分類された油を含む。一般的に、重油は、２２．３°（９２０ｋｇ／ｍ3又は０．９２０ｇ／ｃｍ3の密度）〜１０．０°（１，０００ｋｇ／ｍ3又は１ｇ／ｃｍ3の密度）のＡＰＩ重力を有する。一般的に、超重油は、１０．０°未満のＡＰＩ重力（１，０００ｋｇ／ｍ3よりも大きい又は１ｇ／ｃｍ3よりも大きい密度）を有する。例えば、重油の供給源は、油砂又は瀝青砂を含み、これは、粘土、砂、水、及び瀝青の組み合わせである。重油の熱回収は、温度又は溶媒濃度の増加に伴う流体の粘度減少に基づいている。粘度が低下すると、蒸気、高温水攻法、又は重力による流体の可動化が可能である。粘度の低下は、排水をより迅速にし、従って直接に回収率に寄与する。
【００３０】
「炭化水素」は、主に元素の水素及び炭素を含む有機化合物であるが、窒素、硫黄、酸素、金属、又はいくつかの他の元素が少量存在してもよい。本明細書に使用される時に、炭化水素は、一般的に、リザーバと呼ばれる地下岩層を含有する炭化水素から採取された有機物質を意味する。例えば、天然ガス、油、及び石炭は炭化水素である。
【００３１】
「炭化水素産出」又は「産出」は、ウェル又は他の開口部からの炭化水素の抽出に関連するあらゆる活動を意味する。炭化水素産出は、通常ウェルを完成した後でウェル内又は上で行なわれるあらゆる活動を意味する。従って、炭化水素産出又は抽出は、一次炭化水素抽出だけでなく、駆動圧を増加させ、炭化水素を動員し又は例えば坑井の化学又は油圧破壊によって処置するための気体又は液体の注入のような二次及び三次産出技術も含み、流量増加、ウェルサービング、ウェルロギング、及び他のウェル並びに坑井処置を容易にする。
【００３２】
用語「天然ガス」は、原油井から（関連ガス）、地下気体軸受地層から（非関連ガス）、又は石炭層から得られるガスを意味する。典型的な天然ガスストリームは、有意成分としてメタン（ＣＨ4）を含有する。生天然ガスはまた、エタン（Ｃ2Ｈ6）、高分子量炭化水素、酸性ガス（二酸化炭素、硫化水素、硫化カルボニル、二硫化炭素、及びメルカプタンなど）、及び水、窒素、硫化鉄、ワックス、及び原油のような汚染物質を含有する場合がある。
【００３３】
「圧力」は、容積の壁に対してガスによって単位面積当たりに作用する力である。圧力は、キロパスカル（ｋＰａ）として示すことができる。
【００３４】
本明細書に使用される時に、「ランキンサイクル発電プラント」は、蒸気発生器、タービン、凝縮器、及び再循環ポンプを含む。例えば、蒸発気が蒸気であると、「ランキンサイクル」発電プラントは、蒸気発生器、蒸気タービン、蒸気凝縮器、及びボイラー給水ポンプを含む。蒸気を使用して、蒸気タービンから発生器を駆動することによって電気を発生させる。次いで、減圧蒸気は、蒸気凝縮器において凝縮される。得られる水は、蒸気発生器に再循環されてループを終了する。
【００３５】
「リザーバ地層」又は「リザーバ」は、典型的には、砂岩、石灰岩、チョーク、石炭、及び一部のタイプの頁岩を含むペイゾーンである。ペイゾーンは、１フット（０．３０４８メートル）未満〜数百フィート（数百メートル）の厚みで変化する可能性がある。リザーバ地層の透過性は、産出の可能性を与える。
【００３６】
「隔離」は、流体を大気又は開放環境に排出するのではなくて工程の副産物であるガス又は流体の貯蔵を意味する。例えば、本明細書で説明するように、炭化水素の燃焼又は蒸気改質から形成された二酸化炭素ガスは、石炭層のような地下地層において隔離することができる。
【００３７】
「蒸気支援重力排水」又は「ＳＡＧＤ」は、第１のウェルの中に蒸気を注入する熱回収工程であり、重油の粘度を低下させ、流体は、第２のウェルから回収される。両ウェルは、地層内で通常は水平であり、第１のウェルは、第２のウェルの上にある。従って、粘度が低下した重油は、重力の力を受けて第２のウェルに至るまで流れるが、圧力差は、様々な用途において何らかの駆動力を提供することができる。
【００３８】
用語「水蒸気攻法」は、用語「水蒸気圧入」と同義語である。両用語は、蒸気を地下地層の中に注入して粘性の炭化水素の流量増加を引き起こす技術を説明する。
【００３９】
本明細書に使用される時に、「蒸気発生器」は、直接又は別の工程の一部としてのどちらかで工程設備のための蒸気を発生させるのに使用するいくつかのデバイスを含むことができる。蒸気発生器は、例えば、熱回収蒸気発生器（ＨＲＳＧ）及びとりわけ貫流蒸気発生器（ＯＴＳＧ）を含むことができる。蒸気は、いくつかの品質レベルで発生させることができる。蒸気の品質は、水蒸気に変換される冷い水蒸気の質量分率によって測定される。例えば、８０％の品質蒸気は、水蒸気に変換された給水の約８０ｗｔ．％を有する。蒸気は、両蒸気及び関連する凝縮物（又は水）を含有する湿潤蒸気として発生する。湿潤蒸気は、分離器を通過して、乾燥蒸気、すなわち、凝縮物の同伴なしに発生することができる。分離の結果として、分離器はまた、液体凝縮ストリームを発生させる。
【００４０】
本明細書に使用される時に、「蒸気システム」は、共通給水源から平行に延び、共通出口に蒸気を給送する１又はそれ以上の蒸気発生器を含む。蒸気システムは、平行にどのような数又はタイプの蒸気発生器も含むことができる。多くの場合に、蒸気システムの平行蒸気発生器は、類似の品質レベルで蒸気を発生させる。
【００４１】
材料の品質又は量、又はその具体的な特性に関して使用するときの「実質的」は、材料又は特性を提供することを意図した効果を提供するのに十分な量を意味する。許容偏差の正確度は、場合によっては具体的な状況により決まる場合がある。
【００４２】
本明細書に使用される時に、「熱回収工程」は、熱源を使用して例えば炭化水素の粘度を低下させることによって回収を高めるあらゆるタイプの炭化水素回収工程を含む。これらの工程は、単独又はあらゆる組み合わせで加熱水、湿潤蒸気、又は乾燥蒸気に基づく場合がある。更に、これらの成分のいずれも、溶媒と組み合わせて回収を高めることができる。このような工程は、とりわけ、循環蒸気刺激（ＣＳＳ）、水蒸気攻法、及びＳＡＧＤのような地下工程と、地下マイニング及び露天掘りのような回収のための地表処理を使用する工程とを含むことができる。
【００４３】
「ウェル」又は「坑井」は、導管を地下の中に掘削するか又は挿入することによって作られた地下内の孔を意味する。これらの用語は、地層中の開口部を意味するときは同義的である。ウェルは、実質的に円形の断面又は他の断面形状を有することができる。ウェルはケースに入れられるか、ケースに入れられかつセメントで固められるか、又は開放孔ウェルとすることができ、以下に限定されるものではないが、産出ウェル、注入ウェル、又は実験的ウェル及び試掘ウェルなどを含むあらゆるタイプとすることができる。ウェルは、垂直、水平、又は垂直と水平の間のあらゆる角度（偏位ウェル）とすることができ、例えば、垂直ウェルは、非垂直構成要素を含むことができる。
【００４４】
概観
本明細書で説明する実施形態は、コンバインドサイクルプラント技術を広げて、コンバインドサイクルプラント内でガスタービンシステムのシャフトに追加のシャフト動力を発生させる以外の目的のために蒸気を生成する。例えば、様々な実施形態において、コンバインドサイクルプラントのＨＲＳＧは、ＣＳＳ工程又はＳＡＧＤ工程のような炭化水素熱回収工程に使用するために湿潤蒸気、すなわち、１に等しいか又は１未満の品質の蒸気を生成する。このような工程によって回収される炭化水素は、典型的には、重油、タール、又は瀝青を含む粘性の炭化水素である。ＨＲＳＧはまた、炭化水素回収工程の異なる段階の湿潤蒸気及び電力需要に応じて追加のシャフト動力の発生のために乾燥蒸気を生成することができる。例えば、ＨＲＳＧは、利用可能な排気熱の５０％を変換して蒸気を乾燥させ、近くの重油向上、圧送、又は圧力設備に対して追加の電力生成を提供し、残りの排気熱を変換して熱回収工程のために湿潤蒸気を生成するように設計することができる。更に、ＨＲＳＧ設計は、例えば、乾燥及び湿潤蒸気システムの間の熱伝達平衡に影響を及ぼすために蒸気ドラム及び／又は蒸気コイルの圧力を制御することによって乾燥蒸気システムからの蒸気流量を制御するのに柔軟である場合がある。例えば、ドラム及び蒸気コイル内の乾燥蒸気圧力を上昇させることによって、あまり乾燥していない蒸気は、ＨＲＳＧにおけるより高い沸点従ってより多くの排気熱により煮沸して取り除かれ、追加の湿潤蒸気を生成する。
【００４５】
ＨＲＳＧは、コンバインドサイクル発電プラント内でガスタービンエンジンからの排気ストリームを冷却し、これは燃焼中に形成された水を凝縮させる。例えば、排気ガス再循環システムにおけるストリームの更なる冷却により、より多くの水を排気ガスから取り出すことができる。凝縮水又は凝縮物は、浄化して蒸気生成の水源として使用することができる。多くの炭化水素産出工程が、水源が限られた区域に位置付けられると、これは、工程に対して追加の水源を提供することができる。
【００４６】
熱回収工程を使用して地下地層から重油を産出するために、いくつかの技術が開発されている。熱回収工程は、世界中に使用されており、液体炭化水素を砂岩及び炭酸塩リザーバの両方から回収する。これらの工程は、ＣＳＳ、水蒸気攻法、及びＳＡＧＤのような従来の１組の蒸気ベースの原位置熱回収技術、並びに露天掘り及びこれらの関連する熱ベースの地表抽出技術を含む。
【００４７】
ＳＡＧＤ技術は、重油の粘度を下げるための第１のウェルを通る蒸気の連続注入と、低位の第２のウェルからの重油の連続産出とに基づいている。ＳＡＧＤにおいて、２つの水平ウェルは、リザーバの中に完成する。２つのウェルは、最初にリザーバ内で異なる深さに垂直に掘削される。その後、方向掘削技術を使用して、２つのウェルは、２つの水平ウェルをもたらす水平方向に延長され、互いに垂直に離間するが、そうでなければ垂直に互いに位置合わせされる。理想的には、産出ウェルは、リザーバの基部の上であるがリザーバの下のできるだけ近くに位置し、注入ウェルは、産出のために使用する水平ウェルの上に１０〜３０フィート（３〜１０メートル）垂直に位置する。
【００４８】
上側水平ウェルは、注入ウェルとして利用され、地表から蒸気を供給される。蒸気は、注入ウェルから上昇し、リザーバを透過してリザーバの上部に向かって時間と共に成長するベーパチャンバを形成し、それによりリザーバ内の温度を上昇させる。蒸気及びその凝縮物は、リザーバの温度を上昇させ、その結果リザーバ中の重油の粘度を低下させる。次いで、重油及び凝縮蒸気は、重力の作用を受けてリザーバを通って下向きに排出することになり、下側産出ウェルの中に流れ込むことができ、それによってこれらの液体は、地表に圧送することができる。ウェルの地表において、凝縮蒸気及び重油が分離され、重油は、パイプラインによって輸送するために適切な軽質炭化水素で希釈することができる。
【００４９】
ＳＡＧＤにおける独特な坑井構成の結果として、蒸気と共にリザーバの中に注入されたあらゆる凝縮物は、重力の影響により下にある産出ウェルへと直接に下がることになり、それによって炭化水素の回収に寄与しない。この理由のために、アルバータのアサバスカ領域におけるこれらの工程のようなＳＡＧＤプロジェクトにおいて、現在の慣例は、凝縮物を分離すること、及び回収工程に使用される注入ウェルの中に蒸気相をただ注入することである。凝縮物が取り出された後の蒸気相は、通常乾燥蒸気と呼ばれる。
【００５０】
様々な実施形態において、コンバインドサイクルプラントのＨＲＳＧは、２つの蒸気発生システムを含み、各々は、異なる品質の水を給送し、対応する異なる品質の蒸気を生成する。例えば、低品質の蒸気の第１のストリームは、炭化水素回収工程において使用するために生成することができるが、高品質蒸気の第２のストリームは、ガスタービンシステムにおいて追加のシャフト動力の発生に使用するために生成することができる。蒸気の第１及び第２のストリームは、同時に生成することができ、又は場合によっては、ただ１つのストリームを生成することができる。各ストリームにおいて生成される蒸気の量は、炭化水素回収及び／又は発電の需要レベルによって決まる可能性がある。これに加えて、コンバインドサイクルプラント内の燃焼の副産物として生成される凝縮水及び／又はコンバインドサイクルプラントの蒸気タービンによって生成されるブローダウン水は、単に廃棄されるのではなく、低品質蒸気を生成するために給水として使用することができる。
【００５１】
原油二次回収のためのコンバインドサイクルプラントからの排気熱の使用
図１は、蒸気生成熱電併給設備を備えた熱回収システムの使用を示す開発１００の概略図である。図示されている熱回収システムは、露天掘り１０２及び抽出回収工程の両方、及び循環蒸気刺激（ＣＳＳ）又は蒸気支援重力排水（ＳＡＧＤ）のような地下熱回収工程１０４を含む。地下熱回収工程１０４は、露天掘りにとっては深すぎるリザーバ１０６から炭化水素の回収を可能にする。本明細書で説明する技術は、この組み合わせに限定されず、又はいくつかの技術又は技術の組み合わせとしてのこれらの具体的な技術を本明細書で説明する実施形態において使用することができることは明らかであろう。例えば、ＳＡＧＤ１０４回収工程は、代わりに、循環蒸気刺激（ＣＳＳ）回収工程又は他の熱回収工程とすることができる。
【００５２】
露天掘り１０２を使用して、地表に近いリザーバ１０６の一部分に達することができるが、地下１０４回収を使用して、より大きな深さにあるリザーバ１０６の一部分の炭化水素にアクセスすることができる。しかし、露天掘りによって容易にアクセス可能な部分がリザーバにない場合、露天掘り１０２回収は省略することができる。
【００５３】
開発１００において、熱電併給設備１０８を使用して、動力及び蒸気１１０を発生させ、これらは、地表分離設備１１２及び注入設備１１４に提供することができる。蒸気１１０は、例えば、蒸気発生設備１０８から異なるパイプで担持された湿潤蒸気のみ又は湿潤蒸気と乾燥蒸気の両方を含むことができる。
【００５４】
露天掘り１０２は、重機１１６を使用してリザーバ１０６から油砂のような炭化水素含有物質１１８を取り出す。炭化水素含有物質は、分離設備１１２において取り外され、ここでとりわけ「クラーク」高温水抽出（ＣＨＷＥ）工程のような熱工程を使用して炭化水素ストリーム１２０を尾鉱ストリーム１２２から分離することができる。尾鉱ストリーム１２２は、尾鉱沈殿池１２４に送ることができ、又は廃棄するために地下地層の中に注入することができる。水ストリーム１２６は、蒸気発生設備１０８に再利用することができる。抽出工程は、熱電併給設備１０８からの湿潤蒸気を利用することができる。
【００５５】
地下熱回収工程１０４は、注入ウェル１２８を通ってリザーバの中に蒸気１１０を注入して炭化水素を産出する。注入は、リザーバ１０６の一部分１３０の温度を上昇させ、炭化水素１３１の粘度を低下させ、炭化水素１３１が収集ウェル１３２に流れることを可能にする。明確にするために、注入ウェル１２８及び収集ウェル１３２は、図１において異なる場所から生じると示されているが、これらのウェル１２８及び１３２は、同じ地表パッドから掘削されてウェル１２８及び１３２の間で容易に追跡できるようにすることができる。更に、地下熱回収工程１０４がＣＳＳである場合、単一ウェルは、炭化水素及び蒸気凝縮物の水蒸気圧入及び収集の両方に対して使用することができる。リザーバ１０６から得られるストリーム１３４は、蒸気１１０からの炭化水素１３１及び凝縮物を含む場合がある。蒸気１３４は、地表設備１３６で処理されて水の少なくとも一部を取り出すことができる。ＣＳＳ工程は、例えば、約７０％よりも多いより低品質な蒸気を使用することができるが、ＳＡＧＤ工程は、例えば、約９０％よりも多いより高品質な蒸気、又は熱電併給設備１０８において蒸気発生器からの乾燥蒸気を利用することができる。
【００５６】
地下熱回収工程１０４からの炭化水素ストリーム１３８及び水ストリーム１４０は、運送設備１４２に送ることができ、運送設備１４２は、市場向けの炭化水素１０６を更なる処理設備に送る前に、流入ストリーム１２０、１３８、及び１４０を更に分離及び浄化することができる。得られる処理水１４４は、再利用するために熱電併給設備１０８において蒸気発生器に戻ることができる。
【００５７】
図１の概略図は、開発１００が図１に示す全ての構成要素を含むことになることを示すように意図するものではない。更に、開発１００は、特定の実施の詳細に応じて図１に示していないいずれの数の追加の構成要素も含むことができる。
【００５８】
図２は、開発２００の熱電併給設備２０２の詳細図を示す別の開発２００の簡易ブロック図である。熱電併給設備２０２は、図１の熱電併給設備１０８に対応することができる。熱電併給設備２０２は、ガスタービンシステム２０４を含み、ガスタービンシステム２０４は、発電半閉鎖ブレイトンサイクルとして特徴付けることができる。様々な実施形態において、ガスタービンシステム２０４は、圧縮酸化剤２０８と混合された燃料２０６を燃焼するための燃焼チャンバ（図示せず）を含む。燃料２０６は、天然ガス、メタン、エタン、ナフサ、ブタン、プロパン、シンガス、ジーゼル、灯油、航空燃料、石炭由来の燃料、バイオ燃料、含酸素炭化水素原料、又はあらゆるこれらの組み合わせのようなあらゆる適切な炭化水素気体又は液体を含むことができる。酸化剤２０８は、空気、酸素リッチ空気、酸素欠乏空気、純酸素、又はあらゆるこれらの組み合わせのようなあらゆる適切なガス含有酸素を含むことができる。
【００５９】
燃焼チャンバに加えて、ガスタービンシステム２０４は、主圧縮機及び膨張器（図示せず）を含む。ガスタービンエンジン２０４の燃焼チャンバは、排気ガス２１０を生成し、排気ガス２１０は、排気ガス再循環（ＥＧＲ）システムにおけるあらゆる様々な装置及び／又は設備に送られてガスタービンシステム２０４に戻ることができる。排気ガス２１０がガスタービンシステム２０４の膨張器を通って膨張すると、排気ガス２１０は、機械的動力を発生させて、例えば、シャフト２１４によりガスタービンシステム２０４及び発電機２１２の主圧縮機を駆動する。他のシステムはまた、ポンプ、圧縮機、及び／又は他の設備のような機械的動力によって駆動することができる。
【００６０】
一部の実施において（図２には示さず）、ＥＧＲシステムは、圧縮機を含むことができる。従来のファン又は送風システムとは対照的に、圧縮機は、排気ガスの総合密度を圧縮して増加させ、それによって、加圧又は圧縮再利用排気ガス２１６をガスタービンシステム２０４の主圧縮機の中に向けることができる。圧縮再利用排気ガス２１６を使用して、燃焼生成物の温度を加減することによって酸化剤２０８及び燃料２０６の化学量論的又は実質的に化学量論的燃焼を容易にするのに役立つことができる。
【００６１】
熱電併給設備２０２のＥＧＲシステムは、熱回収蒸気発生器（ＨＲＳＧ）２１８又は類似のデバイスを含む。ＨＲＳＧ２１８は、蒸気２２０の第１のストリームを蒸気タービン２２２に送出する。様々な実施形態において、ＨＲＳＧ２１８及び蒸気タービン２２２の組み合わせは、発電閉鎖ランキンサイクルの一部である。ガス排気ストリーム２１０は、ＨＲＳＧ２１８に導入され、蒸気２２０の第１のストリーム及び再利用排気ガス２１６を発生するのに使用される。ＨＲＳＧ２１８は、触媒システムを任意に含み、残留酸素、一酸化炭素、水素、未燃炭化水素、又は排気ガス２１０における不完全燃焼の他の生成物を低減することができる。
【００６２】
一部の実施形態において、蒸気２２０の第１のストリームは、図示のように蒸気タービン２２２に送られて追加の機械的動力を発生させる。追加の機械的動力を使用して、別個の発生器に動力を供給することができる。これに代えて、蒸気タービン２２２は、例えば、ギアボックスを通ってガスタービンシステム２０４のシャフト２１４に結合され、ガスタービンシステム２０４によって発生する機械的エネルギを補足することができる。一部の実施形態において、蒸気２２０の第１のストリームは、乾燥蒸気（すなわち、高品質蒸気）であり、乾燥蒸気は、湿潤蒸気に対して、蒸気タービン２２２の内側に対する剥離及び関連損傷の可能性を低減する。
【００６３】
ＨＲＳＧ２１８はまた、蒸気２２４の第２のストリームを熱回収システム２２６に送出し、リザーバから又はリザーバから取り出された物質からの粘性の炭化水素の回収を容易にする。熱回収システム２２６は、ＳＡＧＤ工程、水蒸気攻法工程、ＣＳＳ工程、又はＣＨＷＥ工程などを実施することができる。一部の実施形態において、蒸気２２４の第２のストリームは、図示のように湿潤蒸気（すなわち、低品質蒸気）である。しかし、図４を参照して以下により詳細に説明するように、蒸気の第２のストリームは、代わりに乾燥蒸気とすることができる。熱電併給設備２０２は、蒸気２２４の第２のストリームを熱回収システム２２６に送出することに限定されない。これに加えて又はこれに代えて、熱電併給設備２０２は、蒸気２２４の第２のストリーム又は蒸気の第３のストリームを設備加熱工程、処理加熱工程、及び／又は蒸気揮散工程内で蒸気のストリームを使用するシステムに送出することができる。
【００６４】
図２のブロック図は、開発２００が図２に示す全ての構成要素を含むことになることを示すように意図するものではない。更に、開発２００は、特定の実施の詳細に応じて、図２に示していないいずれの数の追加の構成要素も含むことができる。例えば、開発２００は、いくつかの追加のバルブ、ギアボックス、センサ、制御システム、又は凝縮器などを含むことができる。
【００６５】
図３は、開発３００の熱電併給設備３０２の詳細図を示す別の開発３００の簡易ブロック図である。図３のある一定の要素は、図２の対応する要素と同じ機能を有し、従って、図２と同じ参照番号で参照される。例えば、開発３００の熱電併給設備３０２は、ガスタービンシステム２０４を含む。ガスタービンシステム２０４は、圧縮酸化剤２０８と混合する燃料２０６を燃焼させるための燃焼チャンバを含むことができる。ガスタービンシステム２０４の燃焼チャンバは、排気ガス２１０を生成し、排気ガス２１０は、排気ガス再循環（ＥＧＲ）システム３０４におけるあらゆる様々な装置及び／又は設備に送られてガスタービンシステム２０４に戻ることができる。排気ガス２１０がガスタービンシステム２０４の膨張器を通って膨張すると、排気ガス２１０は、機械的動力を発生させてシャフト２１４によりガスタービンシステム２０４及び発電機２１２の主圧縮機を駆動する。
【００６６】
ＥＧＲシステム３０４は、ＨＲＳＧ２１８に流体的に結合され、ガスタービンシステム２０４に戻る部分的に冷却されたガスタービン排気ガス２１６を輸送して処理する。ＥＧＲシステム３０４は、様々な構成要素（図示せず）、直接接触冷却器又はシェルのような排気ガス冷却器、及び排気ガスの温度を摂氏約４〜６６度（℃）まで低下させる管体熱交換器又はエアフィン熱交換器、排気ガスから塵埃又はデブリを取り出す水スプレー、及び／又は管路中の冷却した再利用排気ガス２１６から水滴及びミストを取り出す慣性力分離器を含むことができる。ＥＧＲシステム３０４はまた、ブロア、ファン、又は圧縮機を含み、約１〜２１ｋＰａだけ再利用排気ガスの圧力を増加させることができる。ブロア、ファン、又は圧縮機は、再利用排気ガスの総合密度を圧縮して増加させ、それによって管路中の加圧又は圧縮再利用排気ガス２１６をガスタービンシステム２０４の主圧縮機の中に向けることができる。加圧再利用排気を使用して燃焼生成物の温度を加減することにより、酸化剤２０８及び燃料２０６の化学量論的又は実質的に化学量論的燃焼を容易にするのに役立てることができる。
【００６７】
熱電併給設備３０２のＨＲＳＧ２１８は、蒸気２２０の第１のストリームを発生させ、蒸気タービン２２２に送出して追加の機械的動力を発生させる。追加の機械的動力を使用して、別個の発電機に動力を供給することができる。これに代えて、蒸気タービン２２２は、例えば、ギアボックスにより、ガスタービンシステム２０４のシャフト２１４に結合されて、ガスタービンシステム２０４によって発生する機械的エネルギを補足することができる。他のシステムは、ポンプ、圧縮機、及び／又は他の設備のような機械的動力によって駆動することができる。
【００６８】
ＨＲＳＧ２２２はまた、管路２２４上に蒸気の第２のストリームを発生させ、熱回収システム２２６に送出してリザーバから粘性の炭化水素の回収を容易にする。熱回収システム２２６は、ＳＡＧＤ工程、水蒸気攻法工程、ＣＳＳ工程、又はＣＨＷＥ工程などを実施することができる。
【００６９】
一部の実施形態において、蒸気２２０の第１のストリームは高品質蒸気であり、蒸気２２４の第２のストリームは低品質蒸気である。これに加えて又はこれに代えて、熱電併給設備３０２は、蒸気２２４の第２のストリーム又は蒸気の第３のストリームを設備加熱工程、処理加熱工程、及び／又は蒸気揮散工程において蒸気のストリームを使用するシステムに送出することができる。
【００７０】
水回帰システム３０６は、ＨＲＳＧ２１８において使用される給水の少なくとも一部分３０８を提供する。水回帰システム３０６は、熱回収システム２２６から生成される水３１０を受け取る。熱回収システム２２６によって生成される水３１０は、水回帰システム３０６に送られる前に、最初に他のウェル流体から分離することができる。水回帰システム３０６は、それがＨＲＳＧ２１８への給水として使用するのに適しているように、受け取った水を濾過、揮散、ｐＨ制御、及び／又は他の手段によって処理することができる。
【００７１】
水回帰システム３０６への別の水源は、ガスタービンシステム２０４内で燃料及び酸化剤の組み合わせによって生成される水である。再利用排気ガス２１６中の少なくとも少しの水は、再利用排気ガスを冷却すると凝縮される。この凝縮水３１２は、処理するために水回帰システム３０６に輸送され、蒸気２２４の流量と産出水３１０との間の不均衡を補うように使用することができる。場合によっては、凝縮水３１２は、補うために使用される量を超える場合があり、少しの水は、矢印３１４によって示すように移出又は貯蔵することができる。他の場合には、凝縮水３１２は不十分な場合があり、ストレージ又は外部供給装置からの追加の水は、矢印３１４によって示すように、蒸気のストリームを熱回収システム２２６に補うように受け取ることができる。
【００７２】
水回帰システム３０６はまた、ＨＲＳＧ２１８への補給水として使用される水の部分３０８を調製するための水浄化システムを含むことができる。水浄化システムは、当業技術で公知のいくつかのシステムを使用して水を濾過し、水のｐＨを調節し、溶解ガスを取り出し、溶解酸素を取り出し、又は溶解固体を取り出すことができる。このような技術は、これらの沈殿物を押し付けることによって汚染物質の濃度を下げることができる例えば高温石灰軟化を含むことができる。いくつかの他の技術はまた、単独で、又は濾過、蒸気揮散、蒸発浄化（蒸留）、膜浄化、化学的浄化、及びイオン交換などを含む様々な組み合わせで使用することができる。例えば、排気ガス再循環システム３０４及びＨＲＳＧ２１８からの凝縮水３１２は、一般的に、排気ガス中の溶解ＣＯ2の結果として低いｐＨ、例えば、約４ｐＨ単位にある。低いｐＨは、蒸気が形成されるとＨＲＳＧ２１８に損傷を引き起こす場合がある。この問題を低減するために、蒸気揮散器を使用して溶解ＣＯ2を取り出し、ｐＨをより高いレベルにシフトさせることができる。蒸気揮散はまた、単独で又は脱酸素剤と組み合わせて使用し、ＨＲＳＧ２１８において使用される給水の部分３０８から酸素を取り出し、熱回収工程２２６によって注入される酸素の量を下げることができる。更に、硫酸ナトリウム、炭酸ナトリウム、又は他のもののような化学物質を加えて、ｐＨを約７〜約９ｐＨ単位に上昇させることができる。
【００７３】
熱回収工程２２６から生成される水３１０は、地層からの懸濁又は溶解固体又は両方を有することができる。懸濁固体は、例えば、とりわけ繊維又はセラミックフィルタカートリッジを含む濾過システムに水３１０を通すことによって取り出すことができる。溶解固体は、他の公知の技術の中で逆浸透によって取り出すことができる。実施形態において、溶解固体は取り出されないが、低品質蒸気発生器を通過できる。低品質蒸気、例えば、７０％〜９０％蒸気の発生は、溶解固体から蒸気発生器の汚染を引き起こす可能性は低い。
【００７４】
一般的に、湿潤ＣＳＳ蒸気は過熱されず、一般的に７０〜１００％の範囲内の蒸気品質を有するので、ＣＳＳ給水品質の要件は、蒸気タービン発生システムに戻るか又はこれへの補給として使用される給水のためのものほど厳しくない。
【００７５】
ＨＲＳＧ２１８は、２つの蒸気発生システム、すなわち、蒸気タービン２２２に対する蒸気２２０のストリームの第１のもの及び熱回収システム２２６に対する蒸気２２４のストリームの第２のものを含むことができる。第１の蒸気発生システムは、高品質ボイラー給水を使用して、蒸気タービン２２２に対して高圧の非常に過熱された蒸気を生成することができるが、一部の実施形態において、熱回収システム２２６は、湿潤蒸気を提供し、従って、蒸気タービン２２２に必要と考えられるよりも高価でない水処理によって炭化水素リザーバから生成される水の再利用と矛盾しない低品質ボイラー給水を必要とする。従って、水回帰システム３０６は、ＨＲＳＧ２１８の第１の蒸気発生システムのための給水としての第１の品質の水と、ＨＲＳＧ２１８の第２の蒸気発生システムのための給水としての第２の品質の水とを処理して生成することができる。
【００７６】
これに加えて、蒸気タービン２２２は、一般的に、蒸気ブローダウンをあまり必要とせず、従って、水補給をあまり必要としないが、ＣＳＳシステムのようなある一定の熱回収システムは、実質的に大きな連続ブローダウンを有し（すなわち、湿潤蒸気が一般的に生成される）、炭化水素リザーバから回収されない水を置き換えるのにより多くの水補給を必要とする。従って、ＨＲＳＧ２１８は、蒸気タービン２２２から蒸気ブローダウン３１６を受け取り、熱回収システム２２６に対して補給給水として蒸気ブローダウン３１６を使用することができる。補給給水として蒸気ブローダウン３１６を使用することは、従来の廃棄の実施のより良い代替手段であり、廃棄は無駄であり、環境に有害な影響を及ぼす可能性がある。
【００７７】
ガスタービンシステム２０４は、再利用排気ガス２１６からパージストリーム３１８を抽出するように適応させることができる。更に、ＥＧＲシステム３０４は、再利用排気ガス２１６を送出してガスタービンシステム２０４に戻る前に、製品ガス又は代替パージストリーム３２０として再利用排気ガス２２２の一部を抽出するように適応させることができる。ガスタービンシステム２０４からのパージストリーム３１８及び／又はＥＧＲシステム３０４からの代替パージストリーム３２０は、ガス分離システム３２２に流体的に結合される。ガス分離システム３２２は、ＨＲＳＧ２１８において説明したシステムに対する目的と類似の触媒システムを任意に含み、パージストリーム３１８及び／又は代替パージストリーム３２０の中に残っている不完全燃焼の生成物を更に取り出すことができる。
【００７８】
ガス分離システム３２２は、パージストリーム３１８及び／又は代替パージストリーム３２０を受け取ることができ、あらゆる適切なガス分離技術を使用して抽出ストリーム３１８及び３２０からＣＯ2を分離することができる。適切なガス分離技術は、以下に限定されるものではないが、アミンを使用する溶媒抽出、高温炭酸カリウム、又は他の溶媒、分子篩分離、及び固体吸着剤分離を含む。ガス分離システム３２２の生成物は、ＣＯ2リッチストリーム３２４及びＣＯ2リーンストリーム３２６である。一部の実施形態において、ＣＯ2リーンストリーム３２６は、主に窒素のような不活性ガスから成る。これらの分離ストリームは、別個に互いに関連して又は他の産出ウェル流体（例えば、天然ガス）に関連して使用され、リザーバ１０６又は別の近接炭化水素リザーバにおいて実施される炭化水素熱回収工程を高めることができる。近接リザーバは、粘性の炭化水素リザーバ１０６固有のもの、又はパイプライン又は他の輸送法によって経済的輸送距離内のものとすることができる。
【００７９】
例えば、ＣＯ2リッチストリーム３２４は、リザーバの中に蒸気、例えば、管路２２４中の蒸気のストリームと複合注入するためにリザーバ混和性フラッド工程３２８に給送することができる。蒸気刺激によるＣＯ2の注入は、蒸気刺激単独に対して粘性の炭化水素の回収を増加させることができる。これに代えて、ＣＯ2リッチストリーム３２４は、販売するために使用し、ＣＯ2を必要とする別の工程において使用し、及び／又は隔離又は別の目的のために地上リザーバの中に更に圧縮して注入することができる。ＣＯ2リーンストリーム３２６は、リザーバ１０６又は別の近接炭化水素リザーバにおいて圧力レベルを維持するためにリザーバ圧力維持システム３３０に給送することができる。
【００８０】
ガス分離システム３２２は、パージ抽出又は代替パージ抽出ストリームからＣＯ2のゼロ〜１００％の範囲に分離することができる。分離パーセンテージは、使用される分離技術によって又は具体的な用途において必要なＣＯ2又は不活性ガスの量によって確立することができる。一部の用途において、不活性ガスのみが必要な場合があり、ＣＯ2分離技術は、ガス分離システム３２２内で使用することができる。更に、ガス分離システム３２２は、代替パージストリーム３２０の圧力と類似の低圧で作動することができ、ＣＯ2リッチストリーム３２４及び／又はＣＯ2リーンストリーム３２６の圧力を増加させるように圧縮機を含むことができる。これに代えて、ガス分離システム３２２は、パージストリーム３１８の圧力と類似の高圧で作動してＣＯ2分離機器のサイズを縮小し、産出ストリームに対して必要に応じて追加の圧縮を含むことができる。ガス分離システム３２２はまた、パージストリーム３１８又は３２０を圧縮することによってどちらかのパージストリーム３１８又は３２０よりも高い圧力で作動してＣＯ2分離機器のサイズを縮小し、産出ストリーム３２４及び３２６の追加の圧縮の必要性を低減又は排除することができる。高温炭酸カリウム（Ｈｏｔ  Ｐｏｔ）のような一部のＣＯ2分離工程は、より高圧で経済的であるだけであり、従って、圧縮しない低圧抽出は、これらの工程にとって実行可能ではないと考えられる。これに加えて、パージストリーム３１８又は３２０のどちらかは、ガス分離システム３２２によってＣＯ2リッチとＣＯ2リーンストリームに分離することなく炭化水素増進回収、圧力維持、炭素隔離、又は類似の方法のためにあらゆる必要な圧縮及び処置後に地下リザーバの中に注入することができる。ストリーム３１８、３２０、３２４、又は３２６は、濾過、触媒的変換、又は類似の工程による汚染物質の脱水又は除去のようなリザーバの中に注入する前の更なる処理を必要とする場合がある。
【００８１】
一部の実施形態において、熱電併給設備３０２は、流量を制御するようになった１つ又は複数の制御システム（図示せず）を含み、そこで燃料２０６及び酸化剤２０８は、所望のシャフト動力、温度、圧力、流れ又は同様の目的も達成しながらガスタービンシステム２０４の燃焼チャンバに給送され、燃焼の当量比が０．８〜１．２、０．９〜１．１、０．９５〜１．０５、又は好ましくは０．９９〜１．０２の範囲に維持されるように燃料及び酸化剤の近化学量論比を生じる。１つ又は複数の制御システムはまた、パージストリーム３１８及び／又は３２０の流量を制御し、ガスタービンシステム２０４、熱回収蒸気発生器２１８、及びＥＧＲシステム３０４内の流れ又は圧力又は類似のものの均衡を維持することができる。
【００８２】
図３のブロック図は、開発３００が図３に示す全ての構成要素を含むことになることを示すように意図するものではない。更に、開発３００は、特定の実施の詳細に応じて、図３に示していないいずれの数の追加の構成要素も含むことができる。例えば、開発３００は、いくつかの追加のバルブ、ギアボックス、センサ、制御システム、又は凝縮器などを含むことができる。
【００８３】
図４は、例示的なＨＲＳＧ２１８を示す開発３００の一部分４００の簡易ブロック図である。同様に番号付けされた品目は、前の図に関して説明した通りである。図示の部分４００において、ＨＲＳＧ２１８は、蒸気タービン２２２によって使用するために管路２２０内の高品質蒸気のストリームと、熱回収システム２２６によって使用するための管路２２４内の低品質蒸気のストリームとを生成する。それに対応して、水回帰システム３０６は、水を処理して給水の２つのストリームを生成する。第１の給水ストリーム４０２は、第２の給水ストリーム４０４に対して低品質のものである。ＨＲＳＧ２１８における２つの蒸気発生器４０６及び４０８は、それぞれの給水ストリームを受け取り、それぞれ管路２２４及び２２０中の蒸気の２つのストリームを発生させる。蒸気発生器４０６はまた、給水の別の供給源としての蒸気タービン２２８から蒸気ブローダウン３１６を受け取る。
【００８４】
コントローラ（図示せず）は、各蒸気発生器４０６及び４０８によって発生する蒸気の量を制御する。例えば、電力需要が炭化水素回収の需要よりも大きい場合、コントローラは、適切なバルブを開閉して、大部分の熱を管路中の排気ガス２１６から蒸気発生器４０８に向け、蒸気発生器４０８は、蒸気タービン２２２のために蒸気を発生させる。反対に、排気熱が炭化水素を回収する上でより大きな経済的な使用のものである場合、大部分の熱は、熱回収システム２２６に対して蒸気を発生させる蒸気発生器４０６に向けられる。これに代えて、蒸気ストリーム２２０に対する蒸気ドラム圧力（好ましい）又は単一ＨＲＳＧにおける蒸気ストリーム２２４に対する蒸気ドラム圧力を制御することによって、ＨＲＳＧの中で排気流を制御する必要なく同様の成果を達成することができる。蒸気ドラム内の圧力を増加させることによって、蒸気が煮沸する温度は上昇し、熱は、関連する蒸気コイル内であまり伝達されず、蒸気は、そのコイル内であまり生成されない。その結果、より多くの熱が排気流中に残り、他の蒸気コイル内でより多くの蒸気を生成する。こうして蒸気ドラムからの蒸気流量を制御し、各ストリームドラム内の圧力に影響を及ぼすことにより、乾燥対湿潤蒸気システムにおいて生成される蒸気の量を制御することができる。
【００８５】
図５は、ＨＲＳＧ２１８の別の例示的な構成を示す開発３００の一部分５００の簡易ブロック図である。同様に番号付けされた品目は、前の図に関して説明した通りである。図４に示す部分４００におけるように、図５に示す部分５００において、ＨＲＳＧ２１８は、蒸気タービン２２２によって使用するための高品質蒸気２２０のストリームと、熱回収システム２２６によって使用するための低品質蒸気２２４のストリームとを生成する。しかし、この実施例において、水回帰システム３０６は、水を処理して高品質給水３０８の単一ストリームを生成する。ＨＲＳＧ２１８における２つの蒸気発生器４０６及び４０８は、給水ストリーム３０８を受け取り、それぞれ蒸気２２４及び２２０の２つのストリームを発生させる。管路２２０中の蒸気のストリームの品質を改善するために、ＨＲＳＧ２１８における分離器５０２は、高品質蒸気発生器４０８から蒸気を受け取り、蒸気相又は乾燥蒸気を液相又は凝縮物から分離する。乾燥蒸気は、蒸気タービン２２２によって使用するために管路２２０を介して分離器５０２を離れる。
【００８６】
分離器５０２からの凝縮物の少なくとも一部分は、低品質蒸気発生器４０６の入口まで再利用することができる。典型的には、凝縮物中のあらゆる溶解塩は時間と共に濃縮されることになり、かつ蒸気発生器４０６においてボイラー管を汚染させる可能性があるので、凝縮物の１００％未満は再利用されることになる。従って、凝縮物を再利用するときに、少なくとも一部分は、廃棄に連続的にパージされ（図示せず）、水回帰システム３０６からの清浄ボイラーの給水に置き換えられる。
【００８７】
コントローラ（図示せず）は、１組のバルブ５０４を含むＨＲＳＧ２２４の様々な要素を制御することができる。バルブ５０４を使用して蒸気の流れを制御し、分離器５０２へ及びそこから凝縮させ、管路２２０及び２２４の各々を通って流れる蒸気の量及び低品質蒸気発生器４０６への給水として流れる凝縮物の量を変化させることができる。
【００８８】
図４及び５に示すＨＲＳＧ２１８の実施形態は、２つの蒸気発生器を実施するが、他の数の蒸気発生器を使用することができ、蒸気の追加のストリームを生成することができる。例えば、単一蒸気発生器は、単一分離器と共に使用して高品質蒸気の単一ストリームを発生させることができる。このような構成において低品質蒸気が望ましい場合、バルブを選択的に開き又は閉じて分離器をバイパスすることができる。更に、２つよりも多くの蒸気発生器をＨＲＳＧ２１８において使用することができる。複数の蒸気発生器を有するＨＲＳＧ２１８の例示的実施形態は、例えば、２０１２年１２月１３日に公開され、その全体が引用により本明細書に組み込まれる「蒸気を提供する方法及びシステム」という名称の国際特許出願番号ＷＯ／２０１２−１７０１１４明細書に説明されている。更に、ＨＲＳＧ２１８のコントローラは、例えば、特定の炭化水素熱回収工程が高品質蒸気の使用を求める場合、ＨＲＳＧ２１８を制御して両蒸気ストリーム２２０及び２２４において高品質蒸気を生成することができる。
【００８９】
原油二次回収のためにコンバインドサイクルプラントからの排気熱を使用する方法
図６は、コンバインドサイクルプラント内の排気熱を使用する方法６００の処理流れ図である。本方法は、ブロック６０２で始まり、そこでコンバインドサイクルプラント内でガスタービンシステムからの排気熱を使用して蒸気を生成する。ブロック６０４において、生成された蒸気の少なくとも第１の部分は、炭化水素熱回収工程に使用される。ブロック６０６において、生成された蒸気の少なくとも第２の部分を使用して、コンバインドサイクルプラント内で蒸気タービンを駆動する。
【００９０】
ブロック６０８において、蒸気の少なくとも第３の部分は、設備加熱工程、処理加熱工程、及び／又は蒸気揮散工程のような別の工程に使用される。ガスタービンシステムにおいてガス燃焼の副産物として生成される水は、ブロック６１０において蒸気の少なくとも第１の部分の生成のために補給給水として使用される。更に、蒸気タービンからのブローダウンは、ブロック６１２において蒸気の少なくとも第１の部分の生成のために補給給水として使用される。
【００９１】
図６の処理流れ図は、図６に示す方法６００の全てのブロックをどの場合にも含むことになることを示すように意図するものではない。更に、図６に示していないいずれの数の追加のブロックも、特定の実施の詳細に応じて方法６００に含めることができる。
【００９２】
図７は、コンバインドサイクルプラント内の排気熱を使用する別の方法７００の処理流れ図である。ブロック７０２において、高品質蒸気は、コンバインドサイクルプラント内でガスタービンシステムからの排気熱を使用して生成される。ブロック７０４において、低品質蒸気はまた、排気熱を使用して生成される。生成された低品質蒸気の量に対して生成された高品質蒸気の量は、ブロック７０６において調節される。
【００９３】
ブロック７０８において、蒸気タービンは、高品質蒸気を使用して駆動され、ブロック７１０において、低品質蒸気は、熱回収システムにおいて（例えば、低品質蒸気をリザーバの中に注入してリザーバ中の粘性の炭化水素を熱的に回収することにより）、同じくクラーク高温水抽出システム、設備加熱システム、処理加熱システム、及び／又は蒸気揮散システムにおいて使用される。ブロック７１２において、蒸気タービンからのブローダウンは、低品質蒸気の生成のために補給給水として使用される。ガスタービンシステムにおいてガス燃焼の副産物として生成される水は、ブロック７１４において低品質蒸気の生成のために補給給水として使用される。
【００９４】
図７の処理流れ図は、図７に示す方法７００の全てのブロックをどの場合にも含むことになることを示すように意図するものではない。更に、図７に示していないいずれの数の追加のブロックも、特定の実施の詳細に応じて方法７００に含めることができる。
【図１】
0006282675.tif 000002
【図２】
0006282675.tif 000003
【図３】
0006282675.tif 000004
【図４】
0006282675.tif 000005
【図５】
0006282675.tif 000006
【図６】
0006282675.tif 000007
【図７】
0006282675.tif 000008